(57)【要約】  故障度算出装置（２）は、複数の集合体の各々が複数の部品を含む場合において、複数の集合体のうちの少なくともひとつの集合体についての物理量をもとに、複数の集合体の各々について、故障する確率を示す集合体故障度を算出する集合体故障度算出部（２１）を有する。故障度算出装置（２）は、複数の集合体のうち特定の集合体に含まれる複数の部品の各々について、他の部品との接続状態を示す接続データと集合体故障度とをもとに、故障する確率を示す部品故障度を算出する部品故障度算出部（２２）を更に有する。
2019175984.tif 000002
【特許請求の範囲】
【請求項１】
複数の集合体の各々が複数の部品を含む場合において、前記複数の集合体のうちの少なくともひとつの集合体についての物理量をもとに、前記複数の集合体の各々について、故障する確率を示す集合体故障度を算出する集合体故障度算出部と、
前記複数の集合体のうち特定の集合体に含まれる複数の部品の各々について、他の部品との接続状態を示す接続データと前記集合体故障度とをもとに、故障する確率を示す部品故障度を算出する部品故障度算出部と
を備えることを特徴とする故障度算出装置。
【請求項２】
前記部品故障度算出部は、前記特定の集合体に含まれる特定の部品の部品故障度を算出する場合、前記複数の集合体のうち前記接続データが示す前記特定の部品に接続されている部品を含む集合体の前記集合体故障度をもとに、前記特定の部品の部品故障度を算出する
ことを特徴とする請求項１に記載の故障度算出装置。
【請求項３】
前記部品故障度算出部は、前記特定の部品に接続されている部品の個数をもとに、前記特定の部品の部品故障度を算出する
ことを特徴とする請求項２に記載の故障度算出装置。
【請求項４】
前記部品故障度算出部は、前記特定の部品と前記特定の部品に接続されている部品との各々についての物理量又は物理的特性をもとに、前記特定の部品の部品故障度を算出する
ことを特徴とする請求項３に記載の故障度算出装置。
【請求項５】
前記部品故障度算出部によって算出された前記特定の集合体に含まれる複数の部品の各々の部品故障度を示す情報を表示装置に出力して前記部品故障度を前記表示装置に表示させる制御部を更に備える
ことを特徴とする請求項１から４のいずれか１項に記載の故障度算出装置。
【請求項６】
請求項１から５のいずれか１項に記載の故障度算出装置と、
前記部品故障度算出部によって算出された前記特定の集合体に含まれる複数の部品の各々の部品故障度を表示する表示装置と
を備えることを特徴とする故障度算出システム。
【請求項７】
前記表示装置は、前記複数の部品の各々の部品故障度をリストにして表示する
ことを特徴とする請求項６に記載の故障度算出システム。
【請求項８】
前記特定の集合体は、立体物であって、
前記表示装置は、前記特定の集合体を立体的に表示すると共に、前記複数の部品の各々を部品故障度に対応した色を用いて表示する
ことを特徴とする請求項６に記載の故障度算出システム。
【発明の詳細な説明】
【技術分野】
【０００１】
本発明は、集合体に含まれる複数の部品の各々について、故障する確率を示す部品故障度を算出する故障度算出装置及び故障度算出システムに関する。
【背景技術】
【０００２】
従来、摩耗又は経年劣化により機械装置に比較的重度の損傷が生じる前に故障の予兆を検出し、機械装置を構成する物の交換又は修理を行う必要があることを機械装置の管理者に知らせる予防保全技術が注目されている。例えば、機械装置を構成する物の物理量をセンサで検出して検出結果をもとに当該物に異常が生じているか否かを判定し、異常が生じている場合に異常が生じていることを報知する技術が提案されている（例えば、特許文献１参照）。シミュレーションを行って故障が生じているか否かを判定する技術も提案されている（例えば、特許文献２参照）。
【先行技術文献】
【特許文献】
【０００３】
【特許文献１】特開平１０−２５８９７４号公報
【特許文献２】特開平９−３３０１２０号公報
【発明の概要】
【発明が解決しようとする課題】
【０００４】
しかしながら、特許文献１の技術では、センサが取り付けられている部品についてしか異常が生じているか否かを判定することはできない。機械装置の構成は比較的複雑であって、機械装置を構成するすべての部品にセンサを取り付けることは困難である。【０００５】
特許文献２の技術では、シミュレーションでモデル化された集合体についてしか異常が生じているか否かを判定することはできない。集合体は複数の部品を含み、機械装置は複数の集合体によって構成されている。特許文献２の技術では、異常が生じている集合体を特定することはできるが、当該集合体に含まれる複数の部品のうちのいずれの部品に異常が生じているのかを判定することはできない。集合体に含まれる複数の部品について、故障する確率を示す部品故障度を算出する装置が提供されることが要求されている。【０００６】
本発明は、上記に鑑みてなされたものであって、集合体に含まれる複数の部品について、故障する確率を示す部品故障度を算出する故障度算出装置を得ることを目的とする。
【課題を解決するための手段】
【０００７】
上述した課題を解決し、目的を達成するために、本発明は、複数の集合体の各々が複数の部品を含む場合において、前記複数の集合体のうちの少なくともひとつの集合体についての物理量をもとに、前記複数の集合体の各々について、故障する確率を示す集合体故障度を算出する集合体故障度算出部を有する。本発明は、前記複数の集合体のうち特定の集合体に含まれる複数の部品の各々について、他の部品との接続状態を示す接続データと前記集合体故障度とをもとに、故障する確率を示す部品故障度を算出する部品故障度算出部を更に有する。
【発明の効果】
【０００８】
本発明にかかる故障度算出装置は、集合体に含まれる複数の部品について、故障する確率を示す部品故障度を算出することができるという効果を奏する。
【図面の簡単な説明】
【０００９】
【図１】実施の形態にかかる故障度算出システムの構成を示す図
【図２】実施の形態における複数の集合体及び複数の部品の構成を示す図
【図３】実施の形態における記憶装置が記憶する接続データを示す図
【図４】実施の形態にかかる故障度算出装置が有する集合体故障度算出部の機能の例を説明するための第１図
【図５】実施の形態にかかる故障度算出装置が有する集合体故障度算出部の機能の例を説明するための第２図
【図６】実施の形態における複数の集合体の各々の集合体故障度を示す図
【図７】実施の形態にかかる故障度算出装置が有する部品故障度算出部によって算出された複数の部品の各々の部品故障度を示す図
【図８】実施の形態にかかる故障度算出システムが有する表示装置によって表示される複数の部品の各々の部品故障度のリストを示す図
【図９】実施の形態にかかる故障度算出システムが有する表示装置によって複数の集合体が立体的に表示され、かつ、複数の集合体のいずれかに含まれる複数の部品の各々が部品故障度に対応した色を用いて動画で表示される状況を示す図
【図１０】実施の形態にかかる故障度算出装置が有する集合体故障度算出部、部品故障度算出部及び制御部の少なくとも一部の機能がプロセッサによって実現される場合のプロセッサを示す図
【図１１】実施の形態にかかる故障度算出装置が有する集合体故障度算出部、部品故障度算出部及び制御部を構成する少なくとも一部の構成要素が処理回路によって実現される場合の処理回路を示す図
【発明を実施するための形態】
【００１０】
以下に、本発明の実施の形態にかかる故障度算出装置及び故障度算出システムを図面に基づいて詳細に説明する。なお、この実施の形態によりこの発明が限定されるものではない。
【００１１】
実施の形態．
図１は、実施の形態にかかる故障度算出システム１の構成を示す図である。実施の形態では、複数の集合体の各々が複数の部品を含むことを想定する。複数の集合体の例は、機械装置を構成する複数の構成要素である。複数の集合体の各々は、立体物である。図１には、集合体３０と、集合体３０の物理量を測定する測定装置４０とが示されている。集合体３０は、複数の集合体のうちのひとつの集合体の例である。
【００１２】
例えばモータ制御システムのシミュレーションを行う場合の集合体の例としては、一般的にモータ部品として挙げられるステータ、ロータ、ブラケット、ファン、端子台、等を少なくとも一つの部品を含む集合体であり、集合体を形成するその他の部品としては、上記主要なモータ部品の他に、ネジやＯリングといった接続部品等が挙げられる。物理量の例は、加速度、温度、熱量、変位、圧力、音波又は電磁気が挙げられる。例えば、物理量は、測定装置４０によって測定可能な現象あるいは特性であれば良い。
【００１３】
故障度算出システム１は、複数の集合体のいずれかに含まれる複数の部品の各々について、故障する確率を示す部品故障度を算出する故障度算出装置２と、故障度算出装置２によって算出された複数の部品の各々の部品故障度を表示する表示装置３とを有する。表示装置３の例は、液晶ディスプレイ又は有機エレクトロルミネッセンスディスプレイである。
【００１４】
図１には、複数の集合体のいずれかに含まれる複数の部品の各々について、他の部品との接続状態を示す接続データを記憶する記憶装置５０も示されている。具体的には、記憶装置５０は、複数の集合体のいずれかに含まれる複数の部品の各々について、部品が含まれている集合体と、当該部品に接続されている部品とを示す接続データを記憶している。すなわち、接続データとは、例えばある部品が機械的にどの部品に接続されているかといった情報である。記憶装置５０の例は、半導体メモリを有する装置である。接続データについては、後に図３を用いて更に説明する。
【００１５】
図２は、実施の形態における複数の集合体及び複数の部品の構成を示す図である。実施の形態では、第１の集合体３０Ｘと、第２の集合体３０Ｙと、第３の集合体３０Ｚとが存在する。第１の集合体３０Ｘ、第２の集合体３０Ｙ及び第３の集合体３０Ｚは、複数の集合体の例である。
【００１６】
第１の集合体３０Ｘは、部品Ａ及び部品Ｄを有する。部品Ａ及び部品Ｄは、ひとつの集合体に含まれる複数の部品の例である。第２の集合体３０Ｙは、部品Ｂ及び部品Ｆを有する。部品Ｂ及び部品Ｆも、ひとつの集合体に含まれる複数の部品の例である。第３の集合体３０Ｚは、部品Ｃ、部品Ｅ及び部品Ｇを有する。部品Ｃ、部品Ｅ及び部品Ｇも、ひとつの集合体に含まれる複数の部品の例である。
【００１７】
図２では、同じ集合体に含まれている２個の部品の接続は、ひとつの線で示されている。互いに異なる２個の集合体の一方の集合体に含まれている部品と他方の集合体に含まれている部品との接続は、二重線で示されている。
【００１８】
図２の例では、第１の集合体３０Ｘに含まれている部品Ａは、第１の集合体３０Ｘに含まれている部品Ｄと、第２の集合体３０Ｙに含まれている部品Ｂとに接続されている。第１の集合体３０Ｘに含まれている部品Ｄは、第１の集合体３０Ｘに含まれている部品Ａに接続されている。
【００１９】
第２の集合体３０Ｙに含まれている部品Ｂは、第１の集合体３０Ｘに含まれている部品Ａと、第２の集合体３０Ｙに含まれている部品Ｆとに接続されている。第２の集合体３０Ｙに含まれている部品Ｆは、第２の集合体３０Ｙに含まれている部品Ｂと、第３の集合体３０Ｚに含まれている部品Ｃとに接続されている。
【００２０】
第３の集合体３０Ｚに含まれている部品Ｃは、第２の集合体３０Ｙに含まれている部品Ｆと、第３の集合体３０Ｚに含まれている部品Ｅとに接続されている。第３の集合体３０Ｚに含まれている部品Ｅは、第３の集合体３０Ｚに含まれている部品Ｃ及び部品Ｇに接続されている。第３の集合体３０Ｚに含まれている部品Ｇは、第３の集合体３０Ｚに含まれている部品Ｅに接続されている。
【００２１】
図３は、実施の形態における記憶装置５０が記憶する接続データを示す図である。実施の形態では、複数の集合体及び複数の部品と、複数の部品の各々の接続についての状態とは、図２に示される通りである。そのため、記憶装置５０は、図３に示される表を構成する接続データを記憶する。つまり、記憶装置５０は、部品Ａについて、部品Ａが第１の集合体３０Ｘに含まれていることと、部品Ａが部品Ｄ及び部品Ｂに接続されていることとを示す情報を含む接続データを記憶する。接続データは、部品Ｂ、部品Ｃ、部品Ｄ、部品Ｅ、部品Ｆ及び部品Ｇの各々についても、図２を用いて説明した状況を示す情報を含む。
【００２２】
故障度算出装置２は、複数の集合体のうちの少なくともひとつの集合体についての物理量をもとに、複数の集合体の各々について、故障する確率を示す集合体故障度を算出する集合体故障度算出部２１を有する。図４は、実施の形態にかかる故障度算出装置２が有する集合体故障度算出部２１の機能の例を説明するための第１図である。具体的には、図４は、加速度センサによって測定された第１の集合体３０Ｘの加速度が時間の経過と共に変化するデータの例を示す図である。加速度センサは、測定装置４０の例である。
【００２３】
集合体故障度算出部２１は、図４に示されるデータについて高速フーリエ変換を行う。図５は、実施の形態にかかる故障度算出装置２が有する集合体故障度算出部２１の機能の例を説明するための第２図である。具体的には、図５は、集合体故障度算出部２１が図４に示されるデータについて高速フーリエ変換を行った結果の例を実線で示している。すなわち、図５は、集合体故障度算出部２１が図４に示されるデータについて高速フーリエ変換を行った場合の各周波数における振幅の例を示している。図５は、第１の集合体３０Ｘがあらかじめ決められた正常である場合に加速度センサによって測定された第１の集合体３０Ｘの加速度のデータについて高速フーリエ変換を行った結果を破線で示している。
【００２４】
図５は、あらかじめ決められた特定の周波数ｐにおいて、実線で示される加速度が「ｓ１」であって、破線で示される加速度が「ｓ０」であることを示している。集合体故障度算出部２１は、下記の式（１）にしたがって、第１の集合体３０Ｘの集合体故障度Ｒを算出する。
【００２５】
【数１】
2019175984.tif 000003
【００２６】
集合体故障度算出部２１は、以下の通りに第１の集合体３０Ｘの集合体故障度を算出してもよい。温度計が第１の集合体３０Ｘの温度を測定し、測定された温度が「ｔ１」であって、あらかじめ決められた正常である場合の第１の集合体３０Ｘの温度が「ｔ０」であることを想定する。この場合、集合体故障度算出部２１は、下記の式（２）にしたがって、第１の集合体３０Ｘの集合体故障度Ｒを算出してもよい。温度計は、測定装置４０の例である。
【００２７】
【数２】
2019175984.tif 000004
【００２８】
熱センサが第１の集合体３０Ｘの熱量を測定し、測定された熱量が「ｖ１」であって、あらかじめ決められた正常である場合の第１の集合体３０Ｘの熱量が「ｖ０」であることを想定する。この場合、集合体故障度算出部２１は、下記の式（３）にしたがって、第１の集合体３０Ｘの集合体故障度Ｒを算出してもよい。熱センサは、測定装置４０の例である。
【００２９】
【数３】
2019175984.tif 000005
【００３０】
上述の例のように、集合体故障度算出部２１は、第１の集合体３０Ｘについての物理量をもとに、第１の集合体３０Ｘの集合体故障度を算出する。同様に、集合体故障度算出部２１は、第２の集合体３０Ｙ及び第３の集合体３０Ｚの各々の集合体故障度を算出する。又は、集合体故障度算出部２１は、第１の集合体３０Ｘ、第２の集合体３０Ｙ及び第３の集合体３０Ｚのいずれかひとつの集合体についての物理量と、複数の集合体の各々の他の集合体との関連をもとにあらかじめ決められた規則とをもとに、第１の集合体３０Ｘ、第２の集合体３０Ｙ及び第３の集合体３０Ｚの各々の集合体故障度を算出する。
【００３１】
以下の説明の便宜上、第１の集合体３０Ｘの集合体故障度が「２０」であり、第２の集合体３０Ｙの集合体故障度が「７０」であって、第３の集合体３０Ｚの集合体故障度が「４０」であることを想定する。図６は、実施の形態における複数の集合体の各々の集合体故障度を示す図である。
【００３２】
故障度算出装置２は、複数の集合体のいずれかに含まれる複数の部品の各々について、他の部品との接続状態を示す接続データと、集合体故障度算出部２１によって算出された複数の集合体の各々の集合体故障度とをもとに、故障する確率を示す部品故障度を算出する部品故障度算出部２２を更に有する。接続データは、図３を用いて説明した通り、記憶装置５０に記憶されている。
【００３３】
ここで、部品故障度は、故障する確率を示す値であれば良く、例えば、相対的にいずれの部品が故障する可能性が高いかを示す指標であれば良い。あるいは、劣化度合いを示す値を用いても良い。集合体故障度も同様である。
【００３４】
具体的には、部品故障度算出部２２は、各部品の部品故障度を下記の式（４）にしたがって算出する。
【００３５】
【数４】
2019175984.tif 000006
【００３６】
式（４）において、「Ｅｘ」は、部品故障度算出部２２が算出しようとする部品の部品故障度である。部品故障度算出部２２が部品故障度を算出しようとする部品は、特定の部品の例である。「Ｅｘ１」は、部品故障度算出部２２が部品故障度を算出しようとする部品が含まれている集合体の集合体故障度である。「Ｅｙ１」は、部品故障度算出部２２が部品故障度を算出しようとする部品に接続されている部品が含まれている集合体の集合体故障度である。集合体故障度は、集合体故障度算出部２１によって算出された値である。「Ｎａｌｌ」は、部品故障度算出部２２が部品故障度を算出しようとする部品に接続されている部品の個数である。つまり、部品故障度算出部２２は、特定の部品に接続されている部品の個数をもとに、特定の部品の部品故障度を算出する。
【００３７】
すなわち、部品故障度算出部２２は、特定の部品の部品故障度を算出する場合、まず、特定の部品が含まれている集合体の集合体故障度に、特定の部品に接続されている部品が含まれている集合体の集合体故障度の和を加えて特定の部品に関連する第１の集合体故障度総和を算出する。部品故障度算出部２２は、第１の集合体故障度総和を、１に特定の部品に接続されている部品の個数を加えた値で割ることによって、特定の部品の部品故障度を算出する。
【００３８】
例えば、部品Ａの部品故障度は、下記の通りに算出される。部品Ａは第１の集合体３０Ｘに含まれており、第１の集合体３０Ｘの集合体故障度は「２０」である。部品Ａは部品Ｂに接続されており、部品Ｂは第２の集合体３０Ｙに含まれていて、第２の集合体３０Ｙの集合体故障度は「７０」である。部品Ａは部品Ｄにも接続されており、部品Ｄは第１の集合体３０Ｘに含まれていて、第１の集合体３０Ｘの集合体故障度は「２０」である。部品Ａに接続されている部品の個数は、２個である。したがって、部品故障度算出部２２は、部品Ａの部品故障度を、下記の式（５）の通りに算出する。すなわち、部品故障度算出部２２は、部品Ａの部品故障度Ｅｘが「３６．７」であると算出する。
【００３９】
【数５】
2019175984.tif 000007
【００４０】
例えば、部品Ｂの部品故障度は、下記の通りに算出される。部品Ｂは第２の集合体３０Ｙに含まれており、第２の集合体３０Ｙの集合体故障度は「７０」である。部品Ｂは部品Ａに接続されており、部品Ａは第１の集合体３０Ｘに含まれていて、第１の集合体３０Ｘの集合体故障度は「２０」である。部品Ｂは部品Ｆにも接続されており、部品Ｆは第２の集合体３０Ｙに含まれていて、第２の集合体３０Ｙの集合体故障度は「７０」である。部品Ｂに接続されている部品の個数は、２個である。したがって、部品故障度算出部２２は、部品Ｂの部品故障度を、下記の式（６）の通りに算出する。すなわち、部品故障度算出部２２は、部品Ｂの部品故障度Ｅｘが「５３．３」であると算出する。
【００４１】
【数６】
2019175984.tif 000008
【００４２】
上述の通り、部品故障度算出部２２は、各部品に接続される部品の個数を接続データとして用い、各部品の部品故障度を上記の式（４）にしたがって算出する。図７は、実施の形態にかかる故障度算出装置２が有する部品故障度算出部２２によって算出された複数の部品の各々の部品故障度を示す図である。
【００４３】
故障度算出装置２は、部品故障度算出部２２によって算出された複数の部品の各々の部品故障度を示す情報を表示装置３に出力して当該部品故障度を表示装置３に表示させる制御部２３を更に有する。すなわち、表示装置３は、故障度算出装置２の部品故障度算出部２２によって算出された複数の部品の各々の部品故障度を表示する。
【００４４】
図８は、実施の形態にかかる故障度算出システム１が有する表示装置３によって表示される複数の部品の各々の部品故障度のリストを示す図である。例えば、表示装置３は、図８に示す通り、複数の部品の各々の部品故障度をリストにして表示する。
【００４５】
図９は、実施の形態にかかる故障度算出システム１が有する表示装置３によって複数の集合体が立体的に表示され、かつ、複数の集合体のいずれかに含まれる複数の部品の各々が部品故障度に対応した色を用いて動画で表示される状況を示す図である。図９は、部品Ａが緑色で表示され、部品Ｂが橙色で表示され、部品Ｃが黄色で表示され、部品Ｄが青色で表示され、部品Ｅが黄緑色で表示され、部品Ｆが赤色で表示され、部品Ｇが黄緑色で表示されることを示している。例えば、表示装置３は、図９に示す通り、相対的に部品故障度が高い部品については赤色に近い色で表示し、相対的に部品故障度が低い部品については青色に近い色で表示する。実際には、図９の括弧と当該括弧のなかの文字とは表示されない。
【００４６】
例えば、表示装置３は、図９に示す通り、部品故障度が３０未満である部品については青色で表示し、部品故障度が３０以上４０未満である部品については緑色で表示し、部品故障度が４０以上５０未満である部品については黄緑色で表示し、部品故障度が５０以上５３未満である部品については黄色で表示し、部品故障度が５３以上６０未満である部品については橙色で表示し、部品故障度が６０以上である部品については赤色で表示する。
【００４７】
上述の通り、故障度算出装置２は、複数の集合体のいずれかに含まれる複数の部品の各々について、接続データと、複数の集合体の各々の集合体故障度とをもとに、故障する確率を示す部品故障度を算出する。すなわち、故障度算出装置２は、集合体に含まれる複数の部品について、故障する確率を示す部品故障度を算出することができる。更に言うと、故障度算出装置２は、ひとつの集合体に含まれる複数の部品のうちの相対的に部品故障度が高い部品と、相対的に部品故障度が低い部品とを特定することができる。
【００４８】
具体的には、従来の技術では、第１の集合体３０Ｘと、第２の集合体３０Ｙと、第３の集合体３０Ｚとのうちでは、図６に示す通り、集合体故障度がもっと高い第２の集合体３０Ｙが故障する確率が最も高いことが特定される。しかしながら、従来の技術では、第２の集合体３０Ｙに含まれる部品Ｂと部品Ｆとのうちのいずれの方が故障する確率が高いのかということを特定することはできない。
【００４９】
しかしながら、故障度算出装置２は、複数の集合体のいずれかに含まれる複数の部品の各々の部品故障度を算出する。つまり、故障度算出装置２は、第２の集合体３０Ｙに含まれる部品Ｂと部品Ｆとの各々の部品故障度を算出するので、部品Ｂと部品Ｆとのうちのいずれの方が故障する確率が高いのかということを特定することができる。
【００５０】
表示装置３は、故障度算出装置２の部品故障度算出部２２によって算出された複数の部品の各々の部品故障度を表示する。更に言うと、表示装置３は、ひとつの集合体に含まれる複数の部品のうちの相対的に部品故障度が高い部品と、相対的に部品故障度が低い部品とを故障度算出システム１の管理者に知らせることができる。管理者は、表示装置３によって表示された部品故障度をもとに、交換又は修理を行うことが必要な部品を知ることができ、当該部品を交換又は修理することによって機械装置が突然故障することを未然に防止することができる。
【００５１】
上述の通り、表示装置３は、図８に示す通り、複数の部品の各々の部品故障度のリストを表示することができる。表示装置３が複数の部品の各々の部品故障度のリストを表示する場合、故障度算出システム１の管理者は、交換又は修理を行うことが必要な部品を、数値をもとに把握することができる。
【００５２】
表示装置３は、図９に示す通り、複数の集合体を立体的に表示し、かつ、複数の部品の各々を部品故障度に対応した色を用いて動画で表示することができる。表示装置３が複数の集合体を立体的に表示し、かつ、複数の部品の各々を部品故障度に対応した色を用いて動画で表示する場合、故障度算出システム１の管理者は、色に着目することにより、時間の経過によって変化する交換又は修理を行うことが必要な部品を視覚を通じて知ることができる。
【００５３】
なお、部品故障度算出部２２は、式（４）ではなく下記の式（７）にしたがって各部品の部品故障度を算出してもよい。
【００５４】
【数７】
2019175984.tif 000009
【００５５】
式（７）において、「ｗ１」は、部品故障度算出部２２が部品故障度を算出しようとする部品についての特定の量を示している。「ｗ２」は、部品故障度算出部２２が部品故障度を算出しようとする部品に接続されている部品についての特定の量を示している。「ｗ３」は、部品故障度算出部２２が部品故障度を算出しようとする部品についての特定の量と、部品故障度算出部２２が部品故障度を算出しようとする部品に接続されている部品についての特定の量との平均を示している。特定の量は、物理量又は物理的特性である。物理量又は物理的特性の例は、質量、剛性、慣性モーメント又は体積である。
【００５６】
つまり、部品故障度算出部２２は、上記の式（７）にしたがって特定の部品の部品故障度を算出する場合、まず、特定の部品が含まれている集合体の集合体故障度に特定の部品についての特定の量を掛けて得られた値に、下記の集合体故障度部分和を加えて特定の部品に関連する第２の集合体故障度総和を算出する。集合体故障度部分和は、特定の部品に接続されている部品が含まれている集合体の集合体故障度に当該部品についての特定の量を掛けて特定値を得て、特定の部品に接続されているすべての部品の特定値を加算することによって得られる値である。
【００５７】
次に、部品故障度算出部２２は、特定の部品についての特定の量に、特定の部品に接続されているすべての部品の各々についての特定の量を加えることによって得られた特定の量の総和を、１に特定の部品に接続されている部品の個数を加えた値で割って、特定の部品と特定の部品に接続されている部品とについての特定の量の平均を算出する。部品故障度算出部２２は、第２の集合体故障度総和を、１に特定の部品に接続されている部品の個数を加えた値に当該平均を掛けることによって得られる値で割ることによって、特定の部品の部品故障度を算出する。
【００５８】
すなわち、部品故障度算出部２２は、特定の部品と特定の部品に接続されている部品との各々についての特定の量をもとに、特定の部品の部品故障度を算出してもよい。部品故障度算出部２２が上記の式（７）にしたがって各部品の部品故障度を算出することにより、故障度算出装置２は、各部品についての特定の量を考慮した部品故障度を算出することができる。
【００５９】
上述した実施の形態では、部品故障度算出部２２は、複数の集合体のいずれかに含まれる複数の部品の各々の部品故障度を算出する。しかしながら、部品故障度算出部２２は、複数の集合体のうちの特定の集合体に含まれる複数の部品の部品故障度のみを算出してもよい。特定の集合体に含まれる複数の部品の各々は、特定の部品の例である。例えば、特定の集合体が第２の集合体３０Ｙである場合、部品故障度算出部２２は、部品Ｂ及び部品Ｆの部品故障度のみを算出してもよい。部品Ｂ及び部品Ｆは、特定の部品の例である。
【００６０】
図３に示す通り、接続データは、特定の集合体に含まれる複数の部品の各々について、特定の集合体に含まれる他の部品との接続状態と、複数の集合体のうちの特定の集合体以外の集合体に含まれる部品との接続状態とを示している。部品故障度算出部２２は、特定の集合体に含まれる特定の部品の部品故障度を算出する場合、接続データが示す特定の部品に接続されている部品との接続状態をもとに特定の部品の部品故障度を算出する。
【００６１】
部品故障度算出部２２が特定の集合体に含まれる複数の部品の部品故障度のみを算出する場合、制御部２３は、特定の集合体に含まれる複数の部品の各々の部品故障度を示す情報を表示装置３に出力して当該部品故障度を表示装置３に表示させる。表示装置３は、特定の集合体に含まれる複数の部品の各々の部品故障度を表示する。例えば、表示装置３は、特定の集合体に含まれる複数の部品の各々の部品故障度をリストにして表示する。例えば、表示装置３は、特定の集合体を立体的に表示すると共に、特定の集合体に含まれる複数の部品の各々を部品故障度に対応した色を用いて例えば動画で表示する。
【００６２】
図１０は、実施の形態にかかる故障度算出装置２が有する集合体故障度算出部２１、部品故障度算出部２２及び制御部２３の少なくとも一部の機能がプロセッサ６１によって実現される場合のプロセッサ６１を示す図である。つまり、集合体故障度算出部２１、部品故障度算出部２２及び制御部２３の少なくとも一部の機能は、メモリ６２に格納されるプログラムを実行するプロセッサ６１によって実現されてもよい。
【００６３】
プロセッサ６１は、ＣＰＵ（Central  Processing  Unit）、処理装置、演算装置、マイクロプロセッサ、マイクロコンピュータ、又はＤＳＰ（Digital  Signal  Processor）である。図１０には、メモリ６２も示されている。
【００６４】
集合体故障度算出部２１、部品故障度算出部２２及び制御部２３の少なくとも一部の機能がプロセッサ６１によって実現される場合、当該一部の機能は、プロセッサ６１と、ソフトウェア、ファームウェア、又は、ソフトウェア及びファームウェアとの組み合わせにより実現される。ソフトウェア又はファームウェアは、プログラムとして記述され、メモリ６２に格納される。
【００６５】
プロセッサ６１は、メモリ６２に記憶されたプログラムを読み出して実行することにより、集合体故障度算出部２１、部品故障度算出部２２及び制御部２３の少なくとも一部の機能を実現する。
【００６６】
すなわち、集合体故障度算出部２１、部品故障度算出部２２及び制御部２３の少なくとも一部の機能がプロセッサ６１によって実現される場合、故障度算出装置２は、集合体故障度算出部２１、部品故障度算出部２２及び制御部２３の少なくとも一部によって実行されるステップが結果的に実行されることになるプログラムを格納するためのメモリ６２を有する。
【００６７】
メモリ６２に格納されるプログラムは、集合体故障度算出部２１、部品故障度算出部２２及び制御部２３の少なくとも一部が実行する手順又は方法をコンピュータに実行させるものであるともいえる。
【００６８】
メモリ６２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００６９】
図１１は、実施の形態にかかる故障度算出装置２が有する集合体故障度算出部２１、部品故障度算出部２２及び制御部２３を構成する少なくとも一部の構成要素が処理回路６３によって実現される場合の処理回路６３を示す図である。つまり、集合体故障度算出部２１、部品故障度算出部２２及び制御部２３の機能の少なくとも一部は、処理回路６３によって実現されてもよい。
【００７０】
処理回路６３は、専用のハードウェアである。処理回路６３は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。集合体故障度算出部２１、部品故障度算出部２２及び制御部２３の一部は、残部とは別個の専用のハードウェアであってもよい。
【００７１】
集合体故障度算出部２１、部品故障度算出部２２及び制御部２３の複数の機能について、当該複数の機能の一部がソフトウェア又はファームウェアで実現され、当該複数の機能の残部が専用のハードウェアで実現されてもよい。このように、集合体故障度算出部２１、部品故障度算出部２２及び制御部２３の複数の機能は、ハードウェア、ソフトウェア、ファームウェア、又はこれらの組み合わせによって実現することができる。
【００７２】
特許文献２に開示される技術では、シミュレーションでモデル化された集合体についてしか異常判定することができない。すなわち、集合体を構成する部品レベルまでは異常を判定できない。特許文献２において、集合体を部品レベルまで詳細化したシミュレーションを行うと、シミュレーションのモデルが複雑化するため、大規模な計算を実施する必要があり、シミュレーション装置のスペックや計算時間が大幅に増大する。そのため、装置コストやシミュレーションコストも増大してしまう。さらに、装置が大型化するため、例えばモータ制御機器等には実装できない場合も生じる。
【００７３】
本実施の形態を用いれば、集合体をモデルとしたシミュレーションの結果を用いて、部品レベルの異常判定を実施することができるため、シミュレーション装置のスペックを上げる必要なく、高精度な異常判定を行うことが可能となるため、上述した問題を解決できる。
【００７４】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００７５】
１  故障度算出システム、２  故障度算出装置、２１  集合体故障度算出部、２２  部品故障度算出部、２３  制御部、３  表示装置、３０  集合体、３０Ｘ  第１の集合体、３０Ｙ  第２の集合体、３０Ｚ  第３の集合体、４０  測定装置、５０  記憶装置、６１  プロセッサ、６２  メモリ、６３  処理回路、Ａ，Ｂ，Ｃ，Ｄ，Ｅ，Ｆ，Ｇ  部品、ｐ  周波数。
【図１】
2019175984.tif 000010
【図２】
2019175984.tif 000011
【図３】
2019175984.tif 000012
【図４】
2019175984.tif 000013
【図５】
2019175984.tif 000014
【図６】
2019175984.tif 000015
【図７】
2019175984.tif 000016
【図８】
2019175984.tif 000017
【図９】
2019175984.tif 000018
【図１０】
2019175984.tif 000019
【図１１】
2019175984.tif 000020
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
複数の集合体の各々が複数の部品を含む場合において、前記複数の集合体のうちの少なくともひとつの集合体についての物理量をもとに、前記複数の集合体の各々について、故障する確率を示す集合体故障度を算出する集合体故障度算出部と、
前記複数の集合体のうち特定の集合体に含まれる特定の部品の各々について、前記特定の部品に接続されている部品を示す接続データと、前記特定の部品を含む前記特定の集合体の前記集合体故障度と、前記特定の部品に接続されている部品を含む集合体の前記集合体故障度とをもとに、前記特定の部品が故障する確率を示す部品故障度を算出する部品故障度算出部と
を備えることを特徴とする故障度算出装置。
【請求項２】
前記部品故障度算出部は、前記特定の部品に接続されている部品の個数をもとに、前記特定の部品の部品故障度を算出する
ことを特徴とする請求項１に記載の故障度算出装置。
【請求項３】
前記部品故障度算出部は、前記特定の部品と前記特定の部品に接続されている部品との各々についての物理量又は物理的特性をもとに、前記特定の部品の部品故障度を算出する
ことを特徴とする請求項２に記載の故障度算出装置。
【請求項４】
前記部品故障度算出部によって算出された前記特定の集合体に含まれる複数の部品の各々の部品故障度を示す情報を表示装置に出力して前記部品故障度を前記表示装置に表示させる制御部を更に備える
ことを特徴とする請求項１から３のいずれか１項に記載の故障度算出装置。
【請求項５】
請求項１から４のいずれか１項に記載の故障度算出装置と、
前記部品故障度算出部によって算出された前記特定の集合体に含まれる複数の部品の各々の部品故障度を表示する表示装置と
を備えることを特徴とする故障度算出システム。
【請求項６】
前記表示装置は、前記複数の部品の各々の部品故障度をリストにして表示する
ことを特徴とする請求項５に記載の故障度算出システム。
【請求項７】
前記特定の集合体は、立体物であって、
前記表示装置は、前記特定の集合体を立体的に表示すると共に、前記複数の部品の各々を部品故障度に対応した色を用いて表示する
ことを特徴とする請求項５に記載の故障度算出システム。
【手続補正２】
【補正対象書類名】明細書
【補正対象項目名】０００７
【補正方法】変更
【補正の内容】
【０００７】
上述した課題を解決し、目的を達成するために、本発明は、複数の集合体の各々が複数の部品を含む場合において、前記複数の集合体のうちの少なくともひとつの集合体についての物理量をもとに、前記複数の集合体の各々について、故障する確率を示す集合体故障度を算出する集合体故障度算出部を有する。本発明は、前記複数の集合体のうち特定の集合体に含まれる特定の部品の各々について、前記特定の部品に接続されている部品を示す接続データと、前記特定の部品を含む前記特定の集合体の前記集合体故障度と、前記特定の部品に接続されている部品を含む集合体の前記集合体故障度とをもとに、前記特定の部品が故障する確率を示す部品故障度を算出する部品故障度算出部を更に有する。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
複数の集合体の各々が複数の部品を含む場合において、前記複数の集合体のうちの少なくともひとつの集合体についての物理量をもとに、前記複数の集合体の各々について、故障する確率を示す集合体故障度を算出する集合体故障度算出部と、
前記複数の集合体のうち特定の集合体に含まれる特定の部品の各々について、前記特定の部品が含まれている集合体および前記特定の部品に機械的に接続されている部品を示す接続データと、前記特定の部品を含む前記特定の集合体の前記集合体故障度と、前記特定の部品に接続されている部品を含む集合体の前記集合体故障度とをもとに、前記特定の部品が故障する確率を示す部品故障度を算出する部品故障度算出部と
を備えることを特徴とする故障度算出装置。
【請求項２】
前記部品故障度算出部は、前記特定の部品を含む集合体の前記集合体故障度と、前記特定の部品に接続されている部品を含む集合体の前記集合体故障度との和を用いて、前記特定の部品の部品故障度を算出する
ことを特徴とする請求項１に記載の故障度算出装置。
【請求項３】
前記部品故障度算出部は、前記特定の部品を含む集合体の前記集合体故障度に特定の部品についての物理量又は物理的特性を掛けて得られた値と、前記特定の部品に接続されている部品を含む集合体の前記集合体故障度に前記特定の部品に接続されている部品についての物理量又は物理的特性を掛けて得られた値との和を用いて、前記特定の部品の部品故障度を算出する
ことを特徴とする請求項１に記載の故障度算出装置。
【請求項４】
前記部品故障度算出部は、前記特定の部品に接続されている部品の個数をもとに、前記特定の部品の部品故障度を算出する
ことを特徴とする請求項２または３に記載の故障度算出装置。
【請求項５】
前記部品故障度算出部によって算出された前記特定の集合体に含まれる複数の部品の各々の部品故障度を示す情報を表示装置に出力して前記部品故障度を前記表示装置に表示させる制御部を更に備える
ことを特徴とする請求項１から４のいずれか１項に記載の故障度算出装置。
【請求項６】
請求項１から５のいずれか１項に記載の故障度算出装置と、
前記部品故障度算出部によって算出された前記特定の集合体に含まれる複数の部品の各々の部品故障度を表示する表示装置と
を備えることを特徴とする故障度算出システム。
【請求項７】
前記表示装置は、前記複数の部品の各々の部品故障度をリストにして表示する
ことを特徴とする請求項６に記載の故障度算出システム。
【請求項８】
前記特定の集合体は、立体物であって、
前記表示装置は、前記特定の集合体を立体的に表示すると共に、前記複数の部品の各々を部品故障度に対応した色を用いて表示する
ことを特徴とする請求項６に記載の故障度算出システム。 
【手続補正２】
【補正対象書類名】明細書
【補正対象項目名】０００７
【補正方法】変更
【補正の内容】
【０００７】
上述した課題を解決し、目的を達成するために、本発明は、複数の集合体の各々が複数の部品を含む場合において、前記複数の集合体のうちの少なくともひとつの集合体についての物理量をもとに、前記複数の集合体の各々について、故障する確率を示す集合体故障度を算出する集合体故障度算出部を有する。本発明は、前記複数の集合体のうち特定の集合体に含まれる特定の部品の各々について、前記特定の部品が含まれている集合体および前記特定の部品に機械的に接続されている部品を示す接続データと、前記特定の部品を含む前記特定の集合体の前記集合体故障度と、前記特定の部品に接続されている部品を含む集合体の前記集合体故障度とをもとに、前記特定の部品が故障する確率を示す部品故障度を算出する部品故障度算出部を更に有する。
【国際調査報告】
2019175984.tif 000021
2019175984.tif 000022
2019175984.tif 000023
2019175984.tif 000024